(57)【要約】【課題】  固定子コアバックに巻線を施すトロイダル巻線モータであっても巻線の自動化が容易なトロイダル巻線モータ及びそれを用いたエレベータ用巻上機を得る。【解決手段】  トロイダル巻線５が施された固定子１、及び固定子の内外両側に空隙を介して対向する回転子１３が設けられたものにおいて、固定子１は、各スロット単位で積層された複数の分割型固定子コア１ｂを備え、これら分割型固定子コアを互いに隣接する同士を組み合わせ結合して、一円形状の固定子を組立てる。【選択図】    図２
2006296035.tif 000002
【特許請求の範囲】
【請求項１】
トロイダル巻線が施された固定子、及び前記固定子の内外両側に空隙を介して対向する回転子が設けられたトロイダル巻線モータにおいて、
前記固定子は、各スロット単位で積層された複数の分割型固定子コアを備え、これら分割型固定子コアを互いに隣接する同士を組み合わせ結合して、一円形状の固定子を組立てることを特徴とするトロイダル巻線モータ。
【請求項２】
分割型固定子コアは、組み合わせ結合部の一方に凹部、他方に凸部をそれぞれ有し、これら凸凹部を嵌め合わせることにより、一円形状の固定子を組立てることを特徴とする請求項１記載のトロイダル巻線モータ。
【請求項３】
分割型固定子コアを組み合わせて半円状の固定子にした後、前記半円状の固定子の二つを組み合わせることにより、一円形状の固定子を組立てることを特徴とする請求項１記載のトロイダル巻線モータ。
【請求項４】
分割型固定子コアは、ティース部のトロイダル巻線装着部に巻乱れ防止用の突起を設けたことを特徴とする請求項１〜請求項３のいずれかに記載のトロイダル巻線モータ。
【請求項５】
各分割型固定子コアは、固定用ボルト穴を有し、前記固定用ボルト穴を利用して固定用ボルトにより固定されることを特徴とする請求項１〜請求項４のいずれかに記載のトロイダル巻線モータ。
【請求項６】
トロイダル巻線が施され、本体ハウジング内に固定された固定子、及び前記固定子の内外両側に空隙を介して対向する回転子が設けられたトロイダル巻線モータを用いたエレベータ用巻上機において、
前記固定子は、各スロット単位で積層された複数の分割型固定子コアを備え、各分割型固定子コアは固定用ボルト穴を有し、各分割型固定子コアは、前記固定用ボルト穴を利用して固定用ボルトにより前記本体ハウジングに固定することにより、一円形状の固定子を上記本体ハウジングに固定することを特徴とするトロイダル巻線モータを用いたエレベータ用巻上機。
【発明の詳細な説明】
【技術分野】
【０００１】
この発明は、例えばエレベータ等に用いられるトロイダル巻線モータ及びそれを用いたエレベータ用巻上機に関するものである。
【背景技術】
【０００２】
従来のエレベータ用モータの構成を図４、図５に示す。図４は従来のエレベータ用モータの固定子の一部を示す斜視図、図５は固定子を繋ぎ合わせて一円形状とした巻線前のモータの固定子の正面図である。
図において、２１は固定子コア、２２は固定子ティース部、２３は固定子コアバック部、２４は固定子コアバック部２３の両端部に設けられた可動部で、互いに隣接する固定子コア２１同士を相互に連結するものである。そして、図４に示すように、相互に連結された複数の固定子コア２１の可動部２４を稼動させて円弧状にしたものを繋ぎ合わせ、図５に示すように、一円形状の固定子を組立てている。
近年、機械室レスエレベータの普及や省エネルギー化の動向に伴って、エレベータ用巻上機は小型で、かつ高効率であることが要求されるようになってきている。このような巻上機を得るために、図４、図５に示すような可動部２４を持つ固定子鉄心構造を採用し、巻線作業を容易にすると同時に巻線占積率を向上することにより、巻上機の小型化、高効率化を達成していた（例えば、特許文献１参照）。
【０００３】
【特許文献１】特開２０００−２０１４５８号公報
【発明の開示】
【発明が解決しようとする課題】
【０００４】
このような従来のモータにあっては、固定子ティース部２２に巻線を施した後、固定子コアバック部２３の両端部にある可動部２４を稼動させて、固定子を一円形状とする構造としていたため、固定子コアバック部２３に巻線を施すトロイダル巻線モータにおいては巻線作業を施したり、コア成形するのに不利な構造であった。また、巻線の巻乱れが起こる可能性が高く、巻線占積率を向上させることにより、巻上機の小型化を図るのに不利な構造であった。更にまた、固定子コアを焼き嵌めで固定する構造としていたため、固定子の内外両側に回転子を持つようなトロイダル巻線モータの固定子の固定には不利な構造であった。
【０００５】
この発明は、上記のような問題点を解決するためになされたものであり、固定子コアバックに巻線を施すトロイダル巻線モータであっても巻線の自動化が容易なトロイダル巻線モータ及びそれを用いたエレベータ用巻上機を提供することを目的としている。
【課題を解決するための手段】
【０００６】
この発明に係るトロイダル巻線モータにおいては、トロイダル巻線が施された固定子、及び固定子の内外両側に空隙を介して対向する回転子が設けられたものにおいて、固定子は、各スロット単位で積層された複数の分割型固定子コアを備え、これら分割型固定子コアを互いに隣接する同士を組み合わせ結合して、一円形状の固定子を組立てるものである。
【０００７】
また、この発明に係るトロイダル巻線モータを用いたエレベータ用巻上機においては、トロイダル巻線が施され、本体ハウジング内に固定された固定子、及び固定子の内外両側に空隙を介して対向する回転子が設けられたものにおいて、固定子は、各スロット単位で積層された複数の分割型固定子コアを備え、各分割型固定子コアは固定用ボルト穴を有し、各分割型固定子コアは、固定用ボルト穴を利用して固定用ボルトにより本体ハウジングに固定することにより、一円形状の固定子を本体ハウジングに固定するものである。
【発明の効果】
【０００８】
この発明によれば、固定子コアバックに巻線を施すトロイダル巻線モータであっても巻線の自動化が容易なトロイダル巻線モータ及びそれを用いたエレベータ用巻上機を提供することができる。
【発明を実施するための最良の形態】
【０００９】
実施の形態１.
図１はこの発明の実施の形態１におけるトロイダル巻線モータの固定子の分割型コア片を示す正面図、図２はこの発明の実施の形態１におけるトロイダル巻線モータの固定子の隣接する分割型コア片を相互に繋ぎ合わせた状態を示す一部正面図である。
【００１０】
図１、図２において、１ａはトロイダル巻線モータ固定子の分割型コア片で、このコア片を各スロット単位で多数積層して１ティース分の分割型固定子コア１ｂを構成する。２は固定子ティース部、３は固定子ティース部２の上下両端部にそれぞれ設けられた固定用ボルト穴、４は固定子ティース部２の中央部の一側に隣接する分割型固定子コア１ｂ側に突出成形された巻線装着部で、ここにトロイダル巻線モータの固定子巻線５が装着される。６は巻線装着部４の中央部の他側に陥没するように成形された結合部の一方となる凹部、７は固定子ティース部２の中央部の一側に突出成形された上記巻線装着部４から更に隣接する分割型固定子コア１側に突出成形された結合部の他方となる凸部である。これら凸部７と凹部６は互いに隣接する分割型固定子コア１ｂ同士を相互に連結する際、両者の結合部となるものである。８は巻線装着部４の先端部の上下に設けられた巻乱れ防止用の突起である。
【００１１】
そして、トロイダル巻線モータの固定子１の組立てに当っては、先ず、図１に示す分割型コア片１ａを多数積層して１ティース分の分割型固定子コア１ｂを構成する。次に、図２に示すように、各固定子コア１ｂの巻線装着部４に固定子巻線５を施した後、互いに隣接する分割型固定子コア１ｂの結合部となる凸部７と凹部６を突き合わせて相互に繋ぎ合わせて、一円形状のトロイダル巻線モータの固定子１を組立てるものである。また、各固定子コア１ｂの巻線装着部４には、巻乱れ防止用の突起８が設けられているので、固定子巻線５の巻線時、固定子１の組立て時に固定子巻線５の巻乱れや巻崩れを防止することができる。
【００１２】
この実施の形態１によれば、エレベータ用トロイダル巻線モータにおいて、各スロット単位で積層された分割型固定子コア１ｂを一円形状に組み合わせることにより、コアバックに巻線を施すトロイダル巻線型のモータであっても巻線の自動化、巻線の占積率の向上が実現できる構造とすることができる。また、ティース部の巻線装着部に巻乱れ防止用の突起を設けたので、巻線時の巻乱れ、コア組立て時の巻崩れを防止することができる。
【００１３】
実施の形態２.
図３はこの発明の実施の形態２におけるトロイダル巻線モータを用いたエレベータ用巻上機の上半分を示す縦断面図である。
上記実施の形態１で説明したように構成されたトロイダル巻線モータをエレベータ用巻上機に組み込むことにより、この発明のエレベータ用巻上機が得られるものである。
図において、９はエレベータ用巻上機の本体ハウジングで、この本体ハウジング９内に実施の形態１によるトロイダル巻線モータの固定子１が固定されるものである。すなわち、固定子１を構成する各分割型固定子コア１ｂは、その上下に設けられた固定用ボルト穴３を利用して、このボルト穴３に固定用ボルト１０を通して本体ハウジング９にそれぞれ固定され、一円形状のトロイダル巻線モータの固定子１として本体ハウジング９内に固定されるものである。１１は本体ハウジング９と一体のエレベータ用巻上機の軸、１２は軸１１の外周部に設けられた軸受、１３は軸１１に軸受１２を介して回転可能に設けられた回転子鉄心、１４はこの回転子鉄心１２と上記トロイダル巻線モータの固定子１の内外周部との間に形成された空隙である。
【００１４】
この実施の形態２によれば、エレベータ用トロイダル巻線モータにおいて、固定子１を構成する各分割型コア１ｂを、その上下に設けられた固定用ボルト穴３を利用して、このボルト穴３に固定用ボルト１０を通して本体ハウジング９にそれぞれ固定することにより、固定子の内外両側に回転子を持つようなトロイダル巻線モータを用いたエレベータ用巻上機に固定子全体が確実かつ容易に固定できる構造となる。
【図面の簡単な説明】
【００１５】
【図１】この発明の実施の形態１におけるトロイダル巻線モータの固定子の分割型コア片を示す正面図である。
【図２】この発明の実施の形態１におけるトロイダル巻線モータの固定子の隣接する分割型コア片を相互に繋ぎ合わせた状態を示す一部正面図である。
【図３】この発明の実施の形態２におけるトロイダル巻線モータを用いたエレベータ用巻上機の上半分を示す縦断面図である。
【図４】従来のエレベータ用モータの固定子の一部を示す斜視図である。
【図５】固定子を繋ぎ合わせて一円形状とした巻線前のモータの固定子の正面図である。
【符号の説明】
【００１６】
１  固定子
１ａ  分割型コア片
１ｂ  分割型固定子コア
２  固定子ティース部
３  固定用ボルト穴
４  巻線装着部
５  固定子巻線        
６  凹部（結合部）
７  凸部（結合部）    
８  巻乱れ防止用突起    
９  本体ハウジング
１０  固定用ボルト
１１  軸          
１２  軸受        
１３  回転子鉄心
１４  空隙        
【図１】
2006296035.tif 000003
【図２】
2006296035.tif 000004
【図３】
2006296035.tif 000005
【図４】
2006296035.tif 000006
【図５】
2006296035.tif 000007